(57)【要約】      （修正有）【課題】設備の投資額を抑制し、製造原価を低減すると共に、製造時、出荷時、運搬時、保管時あるいは設置時に、封入された媒体が万一漏洩しても、火災や環境汚染が生じることがない冷凍サイクル装置およびその製造方法並びにその設置方法を提供する。【解決手段】冷凍サイクル装置である空気調和装置の製造方法２００は、室外機２に搭載された各機器（圧縮機、四方弁等）およびこれらを接続する室外配管に、可燃性を有する冷媒に代えて不活性ガス（窒素）が封入された状態で、製造工場において動作試験が実施され、且つ、前記不活性ガスが封入されたままの状態で出荷される。【選択図】図３
2015094477.tif 000002
【特許請求の範囲】
【請求項１】
可燃性を有する冷媒を用いて冷凍サイクルを実行する冷凍サイクル装置であって、
前記冷凍サイクルを実行するための機器および該機器を接続する配管に、不活性ガスが封入された状態で、製造工場において動作試験が実施され、且つ、前記不活性ガスが封入されたままの状態で出荷されることを特徴とする冷凍サイクル装置。
【請求項２】
室外機と室内機とが延長配管によって接続されるセパレート形であって、
前記室外機に搭載された前記冷凍サイクルを実行するための機器および該機器を接続する配管に、不活性ガスが封入された状態で、製造工場において動作試験が実施され、且つ、前記不活性ガスが封入されたままの状態で出荷され、
設置場所において、前記室外機に搭載された配管と前記室内機に搭載された配管とが前記延長配管によって接続され、連続した冷媒回路が形成され、出荷時に封入された不活性ガスを用いて、前記連続した冷媒回路、前記室外機に搭載された機器および前記室内機に搭載された前記冷凍サイクルを実行するための機器の気密試験が実施されることを特徴とする請求項１記載の冷凍サイクル装置。
【請求項３】
前記冷媒が、ＨＦＣ冷媒であるＲ３２（ＣＨ２Ｆ２；ジフルオロメタン）、ＨＦＯ−１２３４ｙｆ（ＣＦ３ＣＦ＝ＣＨ２；テトラフルオロプロぺン）あるいはＨＦＯ−１２３４ｚｅ（ＣＦ３−ＣＨ＝ＣＨＦ）の単一冷媒あるいは混合冷媒であることを特徴とする請求項１または２記載の冷凍サイクル装置。
【請求項４】
前記不活性ガスが、窒素、ヘリウム、アルゴン、二酸化炭素であることを特徴とする請求項１〜３の何れか一項に記載の冷凍サイクル装置。
【請求項５】
可燃性を有する冷媒を用いて冷凍サイクルを実行する冷凍サイクル装置の製造方法であって、
前記冷凍サイクルを実行するための機器および該機器を接続する配管に、前記冷媒に代えて不活性ガスを封入する工程と、
前記不活性ガスが封入された状態で、前記機器の動作試験を実施する工程と、
前記不活性ガスが封入されたままの状態で出荷する工程と、を有することを特徴とする冷凍サイクル装置の製造方法。
【請求項６】
前記冷凍サイクル装置は、室外機と室内機とが延長配管によって接続されるセパレート形であって、
製造工場において、前記室外機に搭載された前記冷凍サイクルを実行するための機器および該機器を接続する配管に、前記冷媒に代えて不活性ガスを封入する工程と、
該不活性ガスが封入された状態で、前記機器の動作試験を実施する工程と、
前記不活性ガスが封入されたままの状態で出荷する工程と、を有することを特徴とする請求項５記載の冷凍サイクル装置の製造方法。
【請求項７】
可燃性を有する冷媒を用いて冷凍サイクルを実行する冷凍サイクル装置の設置方法であって、
前記冷凍サイクルを実行するための機器および該機器を接続する配管に、前記冷媒に代えて不活性ガスが封入されている状態で、前記冷凍サイクル装置をその設置場所に設置する工程と、
前記封入されていた不活性ガスを用いて、前記機器および前記配管の気密試験を実施する工程と、
前記不活性ガスを排出して、前記機器および前記配管に前記冷媒を封入する工程と、
を有することを特徴とする冷凍サイクル装置の設置方法。
【請求項８】
前記冷凍サイクル装置は、室外機と室内機とが延長配管によって接続されるセパレート形であって、
前記室外機に搭載された前記冷凍サイクルを実行するための機器および該機器を接続する配管に、前記冷媒に代えて不活性ガスが封入されている状態で、前記室外機をその設置場所に設置する工程と、
前記室内機をその設置場所に設置する工程と、
前記室外機に搭載された配管と前記室内機に搭載された配管とを前記延長配管によって接続して、連続した冷媒回路を形成する工程と、
前記室外機に封入されていた不活性ガスを用いて、前記連続した冷媒回路、前記室外機に搭載された機器および前記室内機に搭載された前記冷凍サイクルを実行するための機器の気密性を確認する気密試験を実施する工程と、
前記連続した冷媒回路、前記室外機に搭載された機器および前記室内機に搭載された機器から不活性ガスを排出して、前記連続した冷媒回路、前記室外機に搭載された機器および前記室内機に搭載された機器に前記冷媒を封入する工程と、を有することを特徴とする請求項７記載の冷凍サイクル装置の設置方法。
【発明の詳細な説明】
【技術分野】
【０００１】
本発明は冷凍サイクル装置およびその製造方法並びにその設置方法、特に、地球温暖化係数が低い冷媒を使用した冷凍サイクルを実行する冷凍サイクル装置、およびその製造方法、並びにその設置方法に関するものである。
【背景技術】
【０００２】
従来、冷凍サイクル装置の冷媒として、不燃性であるＲ４１０Ａのような「ＨＦＣ冷媒」が用いられている。このＲ４１０Ａは、従来のＲ２２のような「ＨＣＦＣ冷媒」と異なり、オゾン層破壊係数（以下「ＯＤＰ」と称す）がゼロであって、オゾン層を破壊することはないが、地球温暖化係数（以下「ＧＷＰ」と称す）が高いという性質を有している。
そのため、地球の温暖化防止の一環として、Ｒ４１０ＡのようなＧＷＰが高いＨＦＣ冷媒から、ＧＷＰが低い冷媒へと変更する検討が進められている。
【０００３】
そのような低ＧＷＰの冷媒候補として、自然冷媒であるＲ２９０（Ｃ３Ｈ８；プロパン）やＲ１２７０(Ｃ３Ｈ６；プロピレン)のようなＨＣ冷媒があるが、不燃性であるＲ４１０Ａとは異なり、強燃レベルの可燃性を有しており、そのため、冷媒漏洩に対する注意が必要である。
【０００４】
また、そのような低ＧＷＰの冷媒候補として、組成中に炭素の二重結合を持たないＨＦＣ冷媒として、例えば、Ｒ４１０ＡよりもＧＷＰが低いＲ３２（ＣＨ２Ｆ２；ジフルオロメタン）がある。
また、同じような候補冷媒として、Ｒ３２と同様にＨＦＣ冷媒の一種であって、組成中に炭素の二重結合を有するハロゲン化炭化水素がある。かかるハロゲン化炭化水素として、例えば、ＨＦＯ−１２３４ｙｆ（ＣＦ３ＣＦ＝ＣＨ２；テトラフルオロプロペン）やＨＦＯ−１２３４ｚｅ（ＣＦ３−ＣＨ＝ＣＨＦ）がある。なお、Ｒ３２のように組成中に炭素の二重結合を持たないＨＦＣ冷媒と区別するために、炭素の二重結合を持つＨＦＣ冷媒を、オレフィン（炭素の二重結合を持つ不飽和炭化水素がオレフィンと呼ばれる）の「Ｏ」を使って、「ＨＦＯ」と表現されることが多い。
【０００５】
このような低ＧＷＰのＨＦＣ冷媒（ＨＦＯ冷媒含む）は、自然冷媒であるＲ２９０（Ｃ３Ｈ８；プロパン）のようなＨＣ冷媒ほど強燃性ではないものの、不燃性であるＲ４１０Ａとは異なり、微燃レベルの可燃性を有している。そのため、Ｒ２９０と同様に冷媒漏洩に対する注意が必要である。これより以降、微燃レベルであっても可燃性を有する冷媒のことを「可燃性冷媒」と称す。
【０００６】
これら可燃性冷媒を用いる場合、冷凍サイクル装置の使用中（運転中）はもとより、冷凍サイクル装置の製造、出荷、保管ならびに運搬の工程においても、万一の冷媒漏洩に対する安全性を確保する必要がある。冷凍サイクル装置の使用中（運転中）において安全性を確保する技術は多く提案されている。一方、製造、出荷、保管ならびに運搬の工程における技術についての提案は少ない。そんな中で、不燃性冷媒を封入し直した状態で出荷する冷凍・空調装置が開示されている（例えば、特許文献１参照）。
【先行技術文献】
【特許文献】
【０００７】
【特許文献１】特開２０１１−９４８７１号公報（第８−９頁、図７）
【発明の概要】
【発明が解決しようとする課題】
【０００８】
特許文献１に開示された冷凍・空調装置（以下「冷凍サイクル装置」と称す）の製造工程は以下になっている。
すなわち、冷凍サイクルの冷媒回路を構成した後、その指定冷媒である可燃性冷媒Ａを一旦封入した上で、試験運転・検査を実施し、その後、その可燃性冷媒Ａを回収し、改めて不燃性冷媒Ｂを封入し直した状態で出荷し、保管する。そして、設置の際には不燃性冷媒Ｂを回収することなく、指定冷媒である可燃性冷媒Ａを追加封入する。
これにより、製造、出荷、保管および運搬等の各工程において、万一、冷媒漏洩が発生しても、漏洩する冷媒は、不燃性冷媒Ｂであるために、安全性を確保することができるとしている。
また、出荷時に封入されている不燃性冷媒Ｂを現地で回収しないため、不燃性冷媒Ｂは、冷凍サイクル装置の運転時に冷媒回路を循環する冷媒の圧力条件において、相変化して潜熱を使用することができる「Ｒ４１０ＡまたはＲ４０７ＣなどのＨＦＣ冷媒」や「ＣＯ２などの自然冷媒」が望ましいとされ、「相変化をしない窒素やヘリウム、アルゴンなどの不活性ガス」は不適当であるとしている。
【０００９】
しかしながら、特許文献１に開示された冷凍サイクル装置は、前記工程によって製造、出荷、保管、設置されるため、以下のような問題があった。
（ａ）製造工場において、製造時に用いるも、出荷時には封入されていない可燃性冷媒Ａを、封入および回収するための設備、およびそれら設備を設置するための工場敷地および建屋が必要となり、投資額も大きく、結果として製造原価も大きくなる。
（ｂ）不燃性冷媒Ｂとして、Ｒ４１０ＡまたはＲ４０７ＣといったＧＷＰの大きいＨＦＣ冷媒を使用するので、万一、漏洩した場合には、地球温暖化に対する好ましくない影響が避けらない。
（ｃ）製造工場において、予め封入される不燃性冷媒Ｂと現地において追加封入される可燃性冷媒Ａとでは、冷媒種が異なることから、冷凍サイクル装置の修理時や撤去時に回収される冷媒（以下「回収冷媒」と称す）は混合物となる。このため、回収冷媒を形成する成分は多種多様となり、また、それぞれの成分の比率も多種多様となってしまうことから、回収冷媒の処理（破壊や再生処理等）が適切かつ効率的に実行できない。
【００１０】
本発明は、上記のような問題を解決するためになされたものであって、以下を目的とする。
（ｉ）可燃性を有する冷媒を用いて冷凍サイクルを実行する冷凍サイクル装置でありながら、設備等の投資額を抑制し、製造原価を低減すると共に、製造時、出荷時、運搬時、保管時並びに設置時に、封入された媒体が万一漏洩しても、火災のおそれがなく、また、地球温暖化およびオゾン層破壊に好ましくない影響を与えない冷凍サイクル装置およびその製造方法並びにその設置方法を提供する。
（ｉｉ）修理時や撤去時に冷媒を回収した際、混合物でなく一つの冷媒種での回収を可能とし、その後の処理（破壊や再生処理等）を適切かつ効率的にする冷凍サイクル装置およびその製造方法並びにその設置方法を提供する。
（ｉｉｉ）設置時に、冷媒回路の気密性を確認する気密試験に工場出荷時の封入媒体を利用することによって、設置作業の負荷低減と設置作業における省資源化を実現する冷凍サイクル装置およびその製造方法並びにその設置方法を提供する。
【課題を解決するための手段】
【００１１】
本発明に係る冷凍サイクル装置は、可燃性を有する冷媒を用いて冷凍サイクルを実行する冷凍サイクル装置であって、前記冷凍サイクルを実行するための機器および該機器を接続する配管に、不活性ガスが封入された状態で、製造工場において動作試験が実施され、且つ、前記不活性ガスが封入されたままの状態で出荷されることを特徴とする。
【発明の効果】
【００１２】
本発明に係る冷凍サイクル装置は、冷媒回路（冷凍サイクルを実行するための機器および該機器を接続する配管に同じ）内に、可燃性を有する冷媒に代えて不活性ガスが封入された状態で、製造工場において動作試験が実施され、且つ、前記不活性ガスが封入されたままの状態で出荷され、製造工場において可燃性を有する冷媒を一度も用いることなく、製造、動作試験および出荷が実施されるから、以下の効果が得られる。
（ｉ）製造工場において、可燃性を有する冷媒の封入ならびに回収が不要になるから、それらのための設備、工場敷地および建屋が不要となり、投資額が抑制され、製造コストが安価になる。
（ｉｉ）不活性ガスを封入して出荷するから、その後の、保管および運搬において、万一、不活性ガスが漏洩しても、火災のおそれや環境影響（地球温暖化やオゾン層破壊に好ましくない影響を与えること）が生じることがない。
（ｉｉｉ）また、出荷時に封入されていた不活性ガスを用いて、設置時における冷媒回路（各機器およびこれらを接続する配管）の気密試験が可能であるから、不活性ガスを用いて気密試験を実施することによって、作業負荷の低減と設置作業における省資源化とを実現することができる。
【図面の簡単な説明】
【００１３】
【図１】本発明の実施の形態１に係る冷凍サイクル装置（空気調和装置）の構成を示す冷媒回路図。
【図２】本発明の実施の形態１に係る冷凍サイクル装置（空気調和装置）の製造からユーザーが使用するまでの工程を示すフローチャート。
【図３】本発明の実施の形態２に係る冷凍サイクル装置（空気調和装置）の製造方法を説明するフローチャート。
【図４】本発明の実施の形態３に係る冷凍サイクル装置（空気調和装置）の設置方法を説明するフローチャート。
【図５】本発明の実施の形態４に係る冷凍サイクル装置（給湯器）の冷媒回路の構成を示す冷媒回路図。
【発明を実施するための形態】
【００１４】
［実施の形態１］
図１および図２は、本発明の実施の形態１に係る冷凍サイクル装置を説明するものであって、図１は冷凍サイクル装置の構成を示す冷媒回路図、図２は冷凍サイクル装置の製造からユーザーが使用するまでの工程を示すフローチャートである。
図１において、冷凍サイクル装置である空気調和装置１００は、室内に設置される室内機（利用側ユニットに同じ）１と、室外に据え付けられる室外機（熱源側ユニットに同じ）２と、室内機１と室外機２とを連結する延長配管１０ａ、１０ｂと、から構成されるセパレート形である。
【００１５】
（室外機の冷媒回路）
室外機２には、冷媒を圧縮して吐出する圧縮機３と、冷房運転時と暖房運転時とで冷媒回路内の冷媒の流れ方向を変更する冷媒流路切換弁（以降、「四方弁」と呼ぶ）４と、外気と冷媒との熱交換を行う熱源側熱交換器である室外熱交換器５と、開度が変更可能で、高圧の冷媒を低圧に減圧する電子制御式膨張弁等の膨張手段である減圧装置（以降、膨張弁と呼ぶ）６とが配置され、これらが室外配管（熱源側冷媒配管に同じ）８によって連結されている。
また、室外熱交換器５に外気を供給する（吹き付ける）室外送風ファン５ｆが、室外熱交換器５に対向して設置されている。室外送風ファン５ｆを回転させることで、室外熱交換器５を通過する空気流を生成する。室外機２では、室外送風ファン５ｆとしてプロペラファンを用いており、室外熱交換器５を通過して外気を吸引する形態で、室外熱交換器５の下流（室外送風ファン５ｆが生成する空気流の下流）側に配置されている。
【００１６】
（室外配管）
室外配管８とは、ガス側（冷房運転時）の延長配管接続バルブ１３ａと四方弁４とをつなぐ冷媒配管、吸入配管１１、吐出配管１２、四方弁４と室外熱交換器（熱源側熱交換器に同じ）５とをつなぐ冷媒配管、室外熱交換器５と膨張弁６とをつなぐ冷媒配管、膨張弁６と液側（冷房運転時）の延長配管接続バルブ１３ｂをつなぐ冷媒配管とを指し、これらを総称してこのように呼ぶ。
【００１７】
（延長配管接続バルブ）
室外配管８のガス側の延長配管１０ａとの接続部には、ガス側の延長配管接続バルブ１３ａが設けられ、一方、液側の延長配管１０ｂとの接続部には、液側の延長配管接続バルブ１３ｂが配置されている。
ガス側の延長配管接続バルブ１３ａは開放および閉止の切り替えが可能な二方弁であって、その一端にフレア継手１６ａが取り付けられている。
また、液側の延長配管接続バルブ１３ｂは開放および閉止の切り替えが可能な三方弁であって、真空引きの際（空気調和装置１００に冷媒を供給する前作業の際）に使用するサービス口１４ｂおよびフレア継手１６ｂが取り付けられている。
そして、延長配管接続バルブ１３ａ、１３ｂ（サービス口１４ｂも含む）に取り付けられたフレア継手１６ａ、１６ｂの室外配管８側には雄ネジが加工されている。そして、室外機２の出荷時（空気調和装置１００の出荷時を含む）には、前記雄ネジに螺合する雌ネジが加工されたフレアナット（図示しない）が被着されている。
【００１８】
（サービス口）
なお、以下の説明の便宜のため、室外配管８のなかで、圧縮機３の吐出側で圧縮機３から四方弁４入口までを接続する範囲を吐出配管１２と呼び、圧縮機３の吸入側で四方弁４から圧縮機３までを接続する範囲を吸入配管１１と呼ぶこととする。
そうすると、冷房運転時（室内熱交換器７に低温低圧な冷媒を供給する運転）あるいは暖房運転時（室内熱交換器７に高温高圧な冷媒を供給する運転）の何れの時でも、吐出配管１２には常に圧縮機３で圧縮された高温高圧なガス冷媒が流れ、吸入配管１１には、蒸発作用を経た低温低圧な冷媒が流れる。
【００１９】
吸入配管１１を流れる低温低圧な冷媒は、ガス冷媒の時もあれば、二相状態の時もある。吸入配管１１には低圧側のフレア継手付きのサービス口１４ａ、吐出配管１２には高圧側のフレア継手付きのサービス口１４ｃが配置されており、据え付け時や修理時の試運転の際に圧力計を接続して、運転圧力を計測するために使用される。
なお、サービス口１４ａ、１４ｃのフレア継手（図示しない）には雄ネジが設けられ、室外機２の出荷時（空気調和装置１００の出荷時を含む）には、前記雄ネジに螺合する雌ネジが加工されたフレアナット（図示しない）が被着されている。
【００２０】
（室内機の冷媒回路）
室内機１には室内空気と冷媒との熱交換を行う利用側熱交換器である室内熱交換器７が配置され、室内熱交換器７に室内配管（利用側冷媒配管に同じ）９が接続されている。
そして、室内配管９のガス側の延長配管１０ａとの接続部には、ガス側の延長配管１０ａを接続するためのフレア継手１５ａが設けられ、一方、室内配管９の液側の延長配管１０ｂとの接続部には、液側の延長配管１０ｂを接続するためのフレア継手１５ｂが配置されている。
そして、フレア継手１５ａ、１５ｂには雄ネジが切ってあって、室内機１の出荷時（空気調和装置１００の出荷時を含む）には、前記雄ネジに螺合する雌ネジが加工されたフレアナット（図示しない）が被着されている。
また、室内熱交換器７に対向して室内送風ファン７ｆが設置され、室内送風ファン７ｆの回転により室内熱交換器７を通過する空気流を生成する。なお、室内送風ファン７ｆは、室内機１の形態によって、クロスフローファンを使用したり、ターボファンを採用したり様々である。また、その位置も、室内送風ファン７ｆが生成する空気流において室内熱交換器７の下流側の場合もあれば、上流側の場合もある。
【００２１】
（空気調和装置の冷媒回路）
ガス側の延長配管１０ａの両端は、室外機２のガス側の延長配管接続バルブ１３ａに取り付けられたフレア継手１６ａと室内機１の室内配管９に取り付けられたフレア継手１５ａとにそれぞれ着脱自在に接続され、一方、液側の延長配管１０ｂの両端は、室外機２の液側の延長配管接続バルブ１３ｂに取り付けられたフレア継手１６ｂと室内機１の室内配管９に取り付けられたフレア継手１５ｂとにそれぞれ着脱自在に接続される。
すなわち、室外配管８と室内配管９とが延長配管１０ａ、１０ｂにて接続されることによって連続した冷媒回路が形成され、圧縮機３によって圧縮された冷媒を循環させる圧縮式ヒートポンプサイクルが実行可能になる。
【００２２】
（冷房運転時の冷媒流れ）
図１において、実線矢印は冷房運転時の冷媒の流れ方向を示している。冷房運転では、四方弁４が実線で示すような冷媒回路に切り替えられ、圧縮機３から吐出された高温高圧のガス冷媒は四方弁４を経てまず室外熱交換器５へと流入する。このとき、室外熱交換器５は凝縮器として作用する。
すなわち、室外送風ファン５ｆの回転により生成される空気流が室外熱交換器５を通過する際に、通過する室外空気と室外熱交換器５を流れる冷媒とが熱交換して、冷媒の凝縮熱が室外空気に付与される。こうして冷媒は室外熱交換器５で凝縮して高圧中温な液冷媒となる。
次に、高圧中温な液冷媒は膨張弁６に流入し、膨張弁６において断熱膨張して低圧低温の二相冷媒となる。
【００２３】
続いて低圧低温の二相冷媒は、液側の延長配管１０ｂを経由して室内機１に供給され、室内熱交換器７に流入する。この室内熱交換器７が蒸発器として作用する。すなわち、室内送風ファン７ｆの回転で生じる室内空気の流れが室内熱交換器７を通過する際に、通過する室内空気と室内熱交換器７を流れる冷媒とが熱交換して、冷媒が室内空気から蒸発熱（温熱）を奪って蒸発し、低温低圧なガス冷媒もしくは二相状態の冷媒になる。一方、通過する室内空気は冷媒から冷熱を奪って冷却され、室内を冷房する。
さらに、室内熱交換器７において蒸発して低温低圧なガス冷媒もしくは二相状態の冷媒になった冷媒は、ガス側の延長配管１０ａを経由して室外機２に供給され、四方弁４を経由して圧縮機３に吸入される。そして、圧縮機３において再び高温高圧のガス冷媒に圧縮される。冷房運転ではこのサイクルが繰り返される。
【００２４】
（暖房運転時の冷媒流れ）
図１において、点線矢印は暖房運転時の冷媒の流れ方向を示している。四方弁４を点線で示すような冷媒回路に切り替えれば、冷媒は冷房運転時と逆方向に流れ、まず室内熱交換器７に流入するようになり、この室内熱交換器７を凝縮器、そして室外熱交換器５を蒸発器として作用させ、室内熱交換器７を通過する室内空気に凝縮熱（温熱）を与えて暖め、暖房運転となる。
【００２５】
（冷媒）
空気調和装置１００では、冷媒回路を流れる冷媒（以下「指定冷媒」と称す）として、現在広く空気調和装置で使用されているＨＦＣ冷媒Ｒ４１０ＡよりもＧＷＰが小さく、比較的地球温暖化への影響が少ないが、微燃性を有するＨＦＣ冷媒であるＲ３２（ＣＨ２Ｆ２；ジフルオロメタン）を用いている。
なお、冷媒はこのＲ３２に限定されるものではなく、Ｒ３２同様に微燃性を有する、先に説明した、ＨＦＣ冷媒の一種であるが、組成中に炭素の二重結合を有するハロゲン化炭化水素であり、ＧＷＰがＲ３２冷媒よりも更に小さい例えばＨＦＯ−１２３４ｙｆ（ＣＦ３ＣＦ＝ＣＨ２；テトラフルオロプロペン）やＨＦＯ−１２３４ｚｅ（ＣＦ３−ＣＨ＝ＣＨＦ）等のＨＦＯ冷媒であってもよい。
また、強燃性を有するＲ２９０（Ｃ３Ｈ８；プロパン）やＲ１２７０(Ｃ３Ｈ６；プロピレン)等のＨＣ冷媒であってもよい。また、これら冷媒の二種以上を混合した混合冷媒であってもよい。
【００２６】
（不活性ガス）
空気調和装置１００の室外機２における冷媒回路（室外配管８）には、製造工場において、窒素（Ｎ２）が大気圧以上の状態に封入され、動作試験が実施され、その状態のまま出荷、保管、運搬される。そして、空気調和装置１００を現地に設置する際、封入されている窒素を利用して気密試験が実施され、さらに、窒素が排出され、指定冷媒が冷媒回路（室外配管８、室内配管９および延長配管１０ａ、１０ｂ等）に封入される（これについては、別途詳細に説明する）。
なお、室外機２の出荷時に封入されている不活性ガスとして、安価に入手可能な窒素を挙げているが、本発明は窒素に限定されるものではなく、ヘリウム（Ｈｅ）やアルゴン（Ａｒ）、二酸化炭素（ＣＯ２）等の不活性ガスであってもよい。
【００２７】
（冷凍サイクル装置の製造からユーザーが使用するまでの工程）
図２において、空気調和装置１００は、製造からユーザーが使用するまでに以下のような工程を有している。
すなわち、ＳＴＥＰ１は製造工場において空気調和装置１００を製造する製造工程、ＳＴＥＰ２は製造された空気調和装置１００を梱包する梱包工程、ＳＴＥＰ３は製造工場から空気調和装置１００として出荷する出荷工程、ＳＴＥＰ４は空気調和装置１００が製造工場から保管倉庫に運搬される運搬工程、ＳＴＥＰ５は空気調和装置１００を保管倉庫に保管する保管工程である。
そして、ＳＴＥＰ６は空気調和装置１００を保管倉庫からユーザーが使用する使用場所まで運搬する運搬工程、ＳＴＥＰ７は使用場所において空気調和装置１００を設置する設置工程、ＳＴＥＰ８は空気調和装置１００を実際に運転して、設置された空気調和装置１００および設置工事に異常が無いことを確認する運転確認工程である。
なお、各工程については別途、詳細に説明する。
【００２８】
（作用効果）
空気調和装置１００は、製造工程において室外機２の室外配管８等に可燃性冷媒である指定冷媒を一度も用いることなく不活性ガスを用いるため、以下の作用効果が得られる。
（ｉ）可燃性冷媒の封入ならびに回収する工程が不要になることから、これらのための設備、工場敷地および建屋が不要となり、投資額の抑制、製造コストが安価になる。
（ｉｉ）不活性ガスが封入された状態で出荷されることから、製造、出荷、保管ならびに運搬の工程において万一の漏洩があっても、火災のおそれがなく、また、地球温暖化やオゾン層破壊に好ましくない影響を与えることがない。
（ｉｉｉ）また、指定冷媒に代えて不活性ガスが封入された状態で出荷しても、製造、出荷、保管並びに運搬の各工程において、冷媒回路内の防錆が可能であるから、装置の信頼性を維持することができる。
（ｉｖ）製造時に不活性ガスが封入された状態で動作試験を実施しているから、空気調和装置１００の動作に不具合がないことが確認され、装置の信頼性が保証される。
なお、以上は、空気調和装置１００を例に挙げて説明しているが、本発明はこれに限定するものではなく、ショーケースなど、空気調和装置の室内機に相当する利用側ユニットと室外機に相当する熱源側ユニットとを延長配管によって接続することで、連続した冷媒回路（冷媒が循環する冷媒回路）を構成する「セパレート形冷凍サイクル装置」であってもよい。このとき、前記と同様の作用効果を得ることができる。
【００２９】
［実施の形態２］
図３は、本発明の実施の形態２に係る冷凍サイクル装置の製造方法を説明するフローチャートである。
図３において、冷凍サイクル装置の製造方法２００は、空気調和装置１００（実施の形態１参照）を製造する方法であって、室外機２の製造工程（ＳＴＥＰ１、図２参照）に関する詳細な工程を示している。すなわち、ＳＴＥＰ１１は室外機２の各機器（圧縮機３、四方弁４、室外熱交換器５、膨張弁６、延長配管接続バルブ１３ａ、１３ｂ等）を室外配管８によって接続して冷媒回路を構成する室外機の組み立て工程である。
そして、ＳＴＥＰ１２は室外機２の冷媒回路内の空気を排出して窒素の封入を容易にするための真空引き工程、ＳＴＥＰ１３は室外機２の冷媒回路内に窒素を封入する窒素封入工程、ＳＴＥＰ１４は封入された窒素を用いて室外機２の動作試験を行う試験運転・検査工程、ＳＴＥＰ１５は筺体パネル（図示しない）の取り付けを行うなど、室外機２の最終的な組み立て工程である。
【００３０】
（室外機の組み立て工程）
図１に示されるように、室外機２は、圧縮機３、四方弁４、室外熱交換器５、膨張弁６および延長配管接続バルブ１３ａ、１３ｂ等が室外配管８によって接続され、冷媒回路が構成されるため、ＳＴＥＰ１１は、その冷媒回路（この時点で、冷媒回路は連続していない）を組み立てる最後の工程である。
【００３１】
（真空引き工程）
ＳＴＥＰ１２は室外機２の冷媒回路内に窒素を封入する前の真空引き工程であるが、詳細には、真空ポンプ（図示しない）を室外機２に接続する工程であるＳＴＥＰ１２Ａと、真空引きを行う工程であるＳＴＥＰ１２Ｂと、室外機２から真空ポンプを取り外す工程であるＳＴＥＰ１２Ｃとからなっている。
ＳＴＥＰ１２Ａにおいて、室外機２に真空ポンプを接続する箇所は、サービス口１４ａ、１４ｃとする方法の他、室外配管８の四方弁４と室外熱交換器５との間に取り付けられたプロセス管２１や、室外機２の延長配管接続バルブ１３ａ、１３ｂに製造用継ぎ手（カプラー）を取り付け、その製造用継ぎ手を接続箇所とする方法があるが、製造工程の効率化のため、これら製造用継ぎ手（カプラー）の一つあるいは複数を接続箇所とする方法が、多くの場合とられる。
【００３２】
なお、これら製造用継ぎ手（カプラー）は、製造工程の効率化のため、その着脱はネジ式ではなくワンタッチ式になっていて、さらに、真空ポンプを取り付けた状態では開放状態になり真空引きを可能とし、真空ポンプを取り外した状態では閉止状態になり、室外機２の冷媒回路中の真空を維持できるものである。
また、製造用継ぎ手（カプラー）が取り付けられた延長配管接続バルブ１３ａ、１３ｂは、開放状態とすることで、室外機２の冷媒回路中の真空引きが可能となる。
後述するＳＴＥＰ１４Ｃが完了するまで、延長配管接続バルブ１３ａ、１３ｂに取り付けられた製造用継ぎ手（カプラー）は取り付けられたままであり、延長配管接続バルブ１３ａ、１３ｂは開放状態を維持し、ＳＴＥＰ１４Ｃが完了した時点で閉止（閉塞）される。
【００３３】
（窒素封入工程）
ＳＴＥＰ１３は室外機２の冷媒回路内に窒素を封入する窒素封入工程であるが、指定冷媒であるＲ４１０Ａを用いた従来の空気調和装置の室外機の製造工程における冷媒封入工程に代わるものであり、指定冷媒の代わりに窒素を封入する工程である。
すなわち、ＳＴＥＰ１３は、窒素封入装置（図示しない）を室外機２に接続する工程であるＳＴＥＰ１３Ａと、窒素封入を行う工程であるＳＴＥＰ１３Ｂと、室外機２から窒素封入装置を取り外す工程であるＳＴＥＰ１３Ｃとからなっている。
【００３４】
ＳＴＥＰ１３Ａにおいて、室外機２に窒素を封入するための装置を接続する箇所は、前述の真空引き工程（ＳＴＥＰ１２Ｂ）と同様に選択が可能で、室外配管８中に取り付けられたプロセス管２１や室外機２の延長配管接続バルブ１３ａ、１３ｂに取り付けられた製造用継ぎ手（カプラー）の一つあるいは複数を接続箇所とすることが多い。
窒素の封入量は、後述するＳＴＥＰ１４Ｂの動作試験に適した量、かつ出荷時に室外機２の冷媒回路内を大気圧以上に維持できる量であり、室外機２の仕様（室外熱交換器５を主とする冷媒回路の内容積）毎に適量は異なる。
ＳＴＥＰ１３Ｃにおいて、室外機２から窒素封入装置を取り外した時点で、製造用継ぎ手（カプラー）は自動的に閉止状態になるため、封入された窒素は室外機２の冷媒回路中から漏れることはない。
【００３５】
（試験運転・検査工程）
ＳＴＥＰ１４は窒素を用いて室外機２の動作試験を行う試験運転・検査工程であるが、試験用負荷装置（図示しない）を室外機２に接続する工程であるＳＴＥＰ１４Ａと、室外機２の動作試験を行う工程であるＳＴＥＰ１４Ｂと、室外機２から試験用負荷装置を取り外す工程であるＳＴＥＰ１４Ｃとからなっている。
なお。試験用負荷装置とは、疑似室内機であり、図１に示される室内機１に代わるものであるが、フレア継手１６ａとフレア継手１６ｂとを接続する配管であってもよい。
ＳＴＥＰ１４Ａにおいて、試験用負荷装置は、前述の室外機２の延長配管接続バルブ１３ａ、１３ｂに取り付けられた製造用継ぎ手（カプラー）に接続され、室外機２の冷媒回路と試験用負荷装置の冷凍回路が連結され、連続した冷媒回路（流体が循環可能な回路）が形成される。
なお、試験用負荷装置の室外機２との接続部は、室外機２の延長配管接続バルブ１３ａ、１３ｂに取り付けられた製造用継ぎ手（カプラー）と係合可能な製造用継ぎ手（例えば、室外機側が雄（挿入側）ならば、試験用負荷装置側は雌（被挿入側））が接続される。同様に、その着脱はワンタッチ式で、室外機２に取り付けられた状態では開放状態になり動作試験を可能とし、室外機２から取り外された状態では閉止状態になり、試験用負荷装置の冷媒回路中の真空状態を維持できるものである。
【００３６】
ＳＴＥＰ１４Ｂでは、圧縮機３、四方弁４、膨張弁６、および室外送風ファン５ｆ等を動作させ、室外機２として運転できるかどうか、また、運転電流は所定の範囲内であるかどうかなどの試験運転と検査とを実施する。
なお、動作試験時の作動媒体として窒素を用いる場合、窒素は凝縮や蒸発といった相変化をせずガス状態のままである。このとき、膨張弁６の流路は全開状態であっても前後の室外配管８よりも小さいため、圧縮機３における流量と膨張弁６における流量とに差が生じ、指定冷媒を用いた運転と同様に、圧縮機３と膨張弁６とを境に、凝縮器となる熱交換器（四方弁４の切り替えによって、冷房運転時は室外熱交換器５）側の冷媒回路中は高圧に、蒸発器となる熱交換器（四方弁４の切り替えによって、冷房運転時は試験用負荷装置）側の冷媒回路中は低圧にすることができる。
したがって液側の延長配管接続バルブ１３ｂにあるサービス口１４ｂあるいは試験用負荷装置に圧力計（圧力センサー）を取り付け、さらに、四方弁４の切り替えによって、冷房運転あるいは暖房運転をすることができることを確認することができる。
【００３７】
また、窒素の封入量を室外機２の仕様毎に、その適量にすることにより、指定冷媒であるＲ３２の設計圧力を超えることのないようにすることができ、また、動作試験時の高圧と低圧とを所定の範囲に維持することができることから、運転電流が所定の範囲内であるかどうかの検査をすることもできる。
動作試験が終了した後のＳＴＥＰ１４Ｃにおいて、室外機２から試験用負荷装置を取り外す。その手順は、動作試験の最終段階では、四方弁４を切り替えて冷房運転にし、室外機２の液側の延長配管接続バルブ１３ｂを閉める。そして、開いている延長配管接続バルブ１３ａを経由して、冷媒回路中の窒素の全量を室外機２の冷媒回路中に回収（ポンプダウン）し、その後、ガス側の延長配管接続バルブ１３ａを閉めてから、試験用負荷装置を取り外す。
【００３８】
（最終的な組み立て工程）
ＳＴＥＰ１５は室外機２の最終的な組み立て工程である。延長配管接続バルブ１３ａ、１３ｂに取り付けられた製造用継ぎ手（カプラー）を取り外し、筺体パネル（図示せず）などの残りの部品を取り付けて、室外機２の製造を終了する。その後、次工程である梱包工程（ＳＴＥＰ２、図２参照）へ進む。
【００３９】
（梱包工程〜運搬工程）
空気調和装置１００は、前記のように組み立てられるため、室外機２の冷媒回路中に窒素が封入された状態で、梱包工程、出荷工程、製造工場から保管倉庫に運搬される運搬工程、保管倉庫に保管する保管工程および保管倉庫からユーザーが使用する使用場所まで運搬する運搬工程が、実行される（ＳＴＥＰ２〜ＳＴＥＰ６、図２参照）。
【００４０】
（作用効果）
空気調和装置の製造方法２００は、室外機２の冷媒回路（室外配管８等）に可燃性冷媒である指定冷媒を一度も用いることなく、不活性ガスを用いるため以下の作用効果が得られる。
（ｉ）可燃性冷媒の封入ならびに回収する工程が不要になることから、これらのための設備、工場敷地および建屋が不要となり、投資額の抑制、製造コストが安価になる。
（ｉｉ）不活性ガスが封入された状態で出荷されることから、製造、出荷、保管ならびに運搬の工程において万一の漏洩があっても、火災のおそれはなく、また、地球温暖化やオゾン層破壊に好ましくない影響を与えることがない。
（ｉｉｉ）また、指定冷媒に代えて不活性ガスが封入された状態で出荷しても、製造、出荷、保管並びに運搬の各工程において、冷媒回路内の防錆が可能となり、装置の信頼性を維持することができる。
（ｉｖ）製造時に不活性ガスが封入された状態で動作試験を実施しているから、空気調和装置１００の動作に不具合がないことが確認され、装置の信頼性が保証される。
なお、以上は、空気調和装置１００を例に挙げて説明しているが、本発明はこれに限定するものではなく、ショーケースなど、空気調和装置の室内機に相当する利用側ユニットと室外機（熱源側ユニット）とを延長配管によって接続することで冷媒回路を構成する「セパレート形冷凍サイクル装置の製造方法」であってもよい。このとき、前記と同様の作用効果を得ることができる。
【００４１】
［実施の形態３］
図４は、本発明の実施の形態３に係る冷凍サイクル装置の設置方法を説明するフローチャートである。
図４において、冷凍サイクル装置の設置方法３００は、空気調和装置１００（実施の形態１参照）をユーザーが使用する使用場所（設置場所に同じ）に設置する設置工程（ＳＴＥＰ７、図２参照）および運転確認工程（ＳＴＥＰ８、図２参照）の詳細な工程を示している。
すなわち、ＳＴＥＰ７は、室内機１と室外機２をユーザー指定の場所に設置し、延長配管１０ａ、１０ｂを接続して冷媒回路を構成し、必要な電気配線を行う設置工程である。  また、運転確認工程（ＳＴＥＰ８）は、ＳＴＥＰ８１は窒素を用いて延長配管の気密性を確認を行う気密確認工程、ＳＴＥＰ８２は冷媒回路内に冷媒を封入する前の真空引き工程、およびＳＴＥＰ８３は指定冷媒であるＲ３２を封入する冷媒封入工程を有する。
【００４２】
（設置工程）
設置工程（ＳＴＥＰ７）は、図１に示されるように、室内機１と室外機２とを延長配管１０ａ、１０ｂを用いて接続することで、空気調和装置１００の連続した冷媒回路（流体が循環可能な回路）を完成するものである。
まず、ＳＴＥＰ７１において、設置作業を開始し（例えば、梱包を解く等）、ＳＴＥＰ７２において室内機１をユーザー指定の室内へ設置し、ＳＴＥＰ７３において室外機２をユーザー指定の室外へ設置する。そして、ＳＴＥＰ７４において延長配管１０ａ、１０ｂを接続して、冷媒回路を完成する。
延長配管１０ａ、１０ｂは、室外機の延長配管接続バルブ１３ａ、１３ｂのフレア継手１６ａ、１６ｂと室内機のフレア継手１５ａ、１５ｂに被着されているフレアナット（図示せず）を用いて接続される。なお、ＳＴＥＰ７４において冷媒回路の完成工事の他、空気調和装置１００の運転に必要な電気工事も実行する。
【００４３】
（気密確認工程）
ＳＴＥＰ８１は延長配管の気密確認を行う気密確認工程である。室外機２の冷媒回路については、工場出荷時に窒素が封入されているため、当該窒素の封入が維持されていること（漏れていないこと）を、例えば、室外配管８の内圧を測定し、正圧であることによって確認することができる。
一方、室内機１と室外機２との接続部であるフレア継手１５ａ、１５ｂ、１６ａ、１６ｂにおいては気密であること（漏れがないこと）を、指定冷媒を封入する前や運転確認（ユーザー使用開始）の前に確認しておく必要がある。そこで、冷凍サイクル装置の設置方法３００では、室外機２の出荷時に封入されている窒素をそのまま用いて、完成した冷媒回路の気密を確認している（これについては以下に詳細に説明する）。
なお、従来は、室内機１と延長配管１０ａ、１０ｂとの冷媒回路内に、新たに、窒素を封入し、窒素封入量を調整することで、その圧力を空気調和装置の設計圧力（指定冷媒により異なる）まで上昇させ、一定時間（例えは一昼夜）を経ても圧力が降下してこなければ漏れはないと判断する気密確認方法が採用され、作業が繁雑になっていた。
【００４４】
ＳＴＥＰ８１Ａにおいて、室外機２の延長配管接続バルブ１３ａ、１３ｂを開放し、室外機２に封入されている窒素を、室内機１と延長配管１０ａ、１０ｂに送り込む。
そして、ＳＴＥＰ８１Ｂにおいて、空気調和装置１００の冷媒回路中に解放された窒素を用いて気密確認を行う（例えば、予め定めた時間を経過しても内圧が低下しないことを確認する。気密試験に同じ）。したがって、室外機２に封入されている窒素を用いるため、設置現場において封入する窒素の量を不要にしたり、あるいは追加して封入する窒素の量を最少に抑えたりすることができ、作業の簡素化と省資源化を実現することができる。
なお、室外機２に封入されている窒素の量では、設計圧力まで上昇させることができない場合には、設置現場において窒素を追加封入する。このときは、室外機２の延長配管接続バルブ１３ａ、１３ｂは再び閉じ、窒素ボンベを室外機２の液側の延長配管接続バルブ１３ｂのサービス口１４ｂに接続し、空気調和装置１００の冷媒回路中に窒素を追加封入する。
さらに、ＳＴＥＰ８１Ｃにおいて、空気調和装置１００の冷媒回路中の窒素を大気中に放出する。すなわち、サービス口１４ｂに工具の一つであるコントロールバルブを接続して、サービス口１４ｂのバルブコアを開放する。なお、ＳＴＥＰ８１Ｃの窒素放出（空気調和装置１００の冷媒回路からの窒素除去）は、後述の真空引き工程（ＳＴＥＰ８２Ｂ）においても実施できるので、省略してもよい。
【００４５】
（真空引き工程）
ＳＴＥＰ８２は、冷媒回路内に冷媒を封入する前の真空引き工程である。まず、ＳＴＥＰ８２Ａにおいて、室外機２の液側の延長配管接続バルブ１３ｂのサービス口１４ｂに真空ポンプを接続する。
そして、ＳＴＥＰ８２Ｂにおいて、真空ポンプを作動させ、空気調和装置１００の冷媒回路中の真空引きを実施する。冷媒回路中に封入された窒素の他、空気調和装置１００の信頼性、特に冷凍機油の劣化に伴う圧縮機３の故障を防止するために、水分も十分に除去する必要があるため、真空引きは十分なレベル（例えば、−１０１ｋＰａに達してから１時間以上）に実施される必要があり、空気調和装置１００の据付説明書にその内容が記載されている。
さらに、真空引き工程（ＳＴＥＰ８２Ｂ）が終了した後、ＳＴＥＰ８２Ｃにおいて、室外機２の液側の延長配管接続バルブ１３ｂのサービス口１４ｂから真空ポンプを取り外す。
以上のように、空気調和装置１００の気密確認工程（ＳＴＥＰ８１）は、封入されていた窒素を用いて実施されるため、万一、窒素が漏れ出すようなことがあっても、火災のおそれや環境影響が生じることがない。
【００４６】
（冷媒封入工程）
ＳＴＥＰ８３は、指定冷媒であるＲ３２を封入する冷媒封入工程である。すなわち、ＳＴＥＰ８３Ａにおいて、室外機２の液側の延長配管接続バルブ１３ｂのサービス口１４ｂに冷媒ボンベを接続し、ＳＴＥＰ８３Ｂにおいて、冷媒ボンベのバルブを開放し、空気調和装置１００の冷媒回路中に冷媒Ｒ３２を封入する。この際、冷媒ボンベは秤の上に乗せて計量できるようにしておき、メーカー指定（据付説明書に記載）の冷媒量を封入する。
冷媒封入が完了した後、ＳＴＥＰ８３Ｃにおいて、室外機２の液側の延長配管接続バルブ１３ｂのサービス口１４ｂから冷媒ボンベを取り外す。
なお、メーカー指定の冷媒量が多いため、ＳＴＥＰ８３Ｂにおいて指定量まで封入できない場合もある。この場合は、ＳＴＥＰ８３Ｂにおいて一定の量を封入し、一旦、冷媒ボンベのバルブを閉める。そして、後述するＳＴＥＰ８３Ｄの運転確認時に、空気調和装置１００を運転させながら、指定量まで封入し、指定量までの封入を完了後、室外機２の液側の延長配管接続バルブ１３ｂのサービス口１４ｂから冷媒ボンベを取り外すことになる。
【００４７】
以上のように、冷凍サイクル装置の設置方法３００はＳＴＥＰ８３においてのみ、可燃性を有する冷媒Ｒ３２を取り扱うから、この作業工程の間だけ、万一の指定冷媒の漏洩に備えて、設置業者は室外の作業空間の近傍に火気が無いように注意する必要がある。
ＳＴＥＰ８３Ｄにおいて、室内機１と室外機２の設置が完了するから、空気調和装置１００は運転可能な状態になる。そこで、設置業者は、室外機２のサービス口１４ａ、１４ｃに圧力計を取り付け、運転圧力が正常範囲かどうか確認することで、空気調和装置１００の運転が正常に行われていることを確認した上で、ユーザーに引き渡し、ユーザーは空気調和装置１００の使用を開始する。
【００４８】
（作用効果）
本発明によれば、不活性ガスである窒素が封入された状態で設置場所に運搬された空気調和装置１００を設置するため以下の作用効果が得られる。
（ｉ）製造時に封入された窒素を用いて、冷媒回路の気密性を確認する気密試験を実施するから、設置作業の負荷低減と設置作業における省資源化とを実現することができる。
（ｉｉ）冷媒回路の気密性を確認した後に窒素ガスを排出して、真空引きを実施した後に、指定冷媒である可燃性冷媒を新たに封入するため、通常運転時の冷媒は一つの指定冷媒のみになる。したがって、修理時や撤去時に回収される冷媒は混合物でないから、その後の処理（破壊や再処理等）を適正かつ効率的に実行することが可能となる。
なお、実施の形態３では、空気調和装置１００を例に挙げて説明したが、空気調和装置に限定することなく、ショーケースなど、空気調和装置の室内機に相当する利用側ユニットと室外機（熱源側ユニット）とを延長配管にて接続することで冷媒回路を構成する「セパレート形冷凍サイクル装置の設置方法」であれば、同様の効果を得ることができる。
【００４９】
［実施の形態４］
図５は、本発明の実施の形態４に係る冷凍サイクル装置を説明するものであって、冷凍サイクル装置としての給湯器について、その冷媒回路の構成を示す冷媒回路図である。なお、実施の形態１と同じ部分または相当する部分には同じ符号を付し、一部の説明を省略する。
図５において、給湯器４００における冷媒回路は、空気調和装置１００の室外機２（熱源側）と室内機１（熱利用側）とが一体になったものであって、室内配管９が室外配管８に直接接続されて、室内熱交換器７が室外機２に内包されたものに相当する。したがって、室外熱交換器５を「熱源側熱交換器５」と、室内熱交換器７を「利用側熱交換器７」と、室外配管８を「熱源側配管８」と、室内配管９を「利用側配管９」と、それぞれ称することができる。
そして、利用側熱交換器７において、冷媒から水配管１９を流れる水に温熱（または冷熱）が受け渡される。なお、水配管１９には、図示しない給湯器水回路に接続するための接続部２０ａ、２０ｂが設けられている。
【００５０】
そして、給湯器４００の冷媒回路には、空気調和装置１００と同様に、製造工場において冷媒回路（熱源側配管８等）に不活性ガス（例えば、窒素）が封入され、その状態で動作試験がされ、その状態で出荷され、その状態で保管ならびに運搬されるから、給湯器４００は、空気調和装置１００と同様の作用効果を奏する。
【００５１】
また、給湯器４００は、冷凍サイクル装置の製造方法２００に準じて製造することができるから、冷凍サイクル装置の製造方法２００に準じて製造することによって、冷凍サイクル装置の製造方法２００と同様の作用効果を得ることができる。
【００５２】
さらに、給湯器４００は、冷凍サイクル装置の設置方法３００に準じて設置することができる（正確には、延長配管１０ａ、１０ｂによって接続する工程を有しないが、封入されている不活性ガス（例えば、窒素）を用いて気密試験をし、その後、真空引きをしてから、指定冷媒を封入する）から、冷凍サイクル装置の設置方法３００に準じて設置することによって、冷凍サイクル装置の設置方法３００と同様の作用効果を得ることができる。
なお、このとき、設置場所における気密試験を、製造工場において実施してもよい。
【符号の説明】
【００５３】
１  室内機、２  室外機、３  圧縮機、４  四方弁、５  室外熱交換器（熱源側熱交換器）、５ｆ  室外送風ファン、６  膨張弁、７  室内熱交換器（利用側熱交換器）、７ｆ  室内送風ファン、８  室外配管（熱源側配管）、９  室内配管（利用側配管）、１０ａ  延長配管、１０ｂ  延長配管、１１  吸入配管、１２  吐出配管、１３ａ  延長配管接続バルブ、１３ｂ  延長配管接続バルブ、１４ａ  サービス口、１４ｂ  サービス口、１４ｃ  サービス口、１５ａ  フレア継手、１５ｂ  フレア継手、１６ａ  フレア継手、１６ｂ  フレア継手、１９  水配管、２０ａ  接続部、２０ｂ  接続部、２１  プロセス管、１００  空気調和装置（実施の形態１）、２００  空気調和装置の製造方法（実施の形態２）、３００  空気調和装置の設置方法（実施の形態３）、４００  給湯器（実施の形態４）。
【図１】
2015094477.tif 000003
【図２】
2015094477.tif 000004
【図３】
2015094477.tif 000005
【図４】
2015094477.tif 000006
【図５】
2015094477.tif 000007
【手続補正書】
【提出日】平成26年7月18日(2014.7.18)
【手続補正１】
【補正対象書類名】特許請求の範囲
【補正対象項目名】請求項２
【補正方法】変更
【補正の内容】
【請求項２】
室外機と室内機とが延長配管によって接続されるセパレート形であって、
前記室外機に搭載された前記冷凍サイクルを実行するための機器および該機器を接続する配管に、不活性ガスが封入された状態で、製造工場において動作試験が実施され、且つ、前記不活性ガスが封入されたままの状態で出荷され、
設置場所において、前記室外機に搭載された配管と前記室内機に搭載された配管とが前記延長配管によって接続され、連続した冷媒回路が形成され、出荷時に封入された不活性ガスを用いて、前記連続した冷媒回路の気密試験が実施されることを特徴とする請求項１記載の冷凍サイクル装置。
【手続補正２】
【補正対象書類名】特許請求の範囲
【補正対象項目名】請求項８
【補正方法】変更
【補正の内容】
【請求項８】
前記冷凍サイクル装置は、室外機と室内機とが延長配管によって接続されるセパレート形であって、
前記室外機に搭載された前記冷凍サイクルを実行するための機器および該機器を接続する配管に、前記冷媒に代えて不活性ガスが封入されている状態で、前記室外機をその設置場所に設置する工程と、
前記室内機をその設置場所に設置する工程と、
前記室外機に搭載された配管と前記室内機に搭載された配管とを前記延長配管によって接続して、連続した冷媒回路を形成する工程と、
前記室外機に封入されていた不活性ガスを用いて、前記連続した冷媒回路の気密性を確認する気密試験を実施する工程と、
前記連続した冷媒回路から不活性ガスを排出して、前記連続した冷媒回路に前記冷媒を封入する工程と、を有することを特徴とする請求項７記載の冷凍サイクル装置の設置方法。
【手続補正書】
【提出日】平成27年2月6日(2015.2.6)
【手続補正１】
【補正対象書類名】明細書
【補正対象項目名】００１１
【補正方法】変更
【補正の内容】
【００１１】
本発明に係る冷凍サイクル装置は、可燃性を有する冷媒を用いて冷凍サイクルを実行する冷凍サイクル装置であって、前記冷凍サイクルを実行するための機器および該機器を接続する配管に、不活性ガスが封入された状態で、製造工場において動作試験が実施され、且つ、前記不活性ガスが封入されたままの状態で出荷され、前記動作試験は、前記機器を構成する圧縮機を動作させることであることを特徴とする。
【手続補正２】
【補正対象書類名】特許請求の範囲
【補正対象項目名】全文
【補正方法】変更
【補正の内容】
【特許請求の範囲】
【請求項１】
可燃性を有する冷媒を用いて冷凍サイクルを実行する冷凍サイクル装置であって、
前記冷凍サイクルを実行するための機器および該機器を接続する配管に、不活性ガスが封入された状態で、製造工場において動作試験が実施され、且つ、前記不活性ガスが封入されたままの状態で出荷され、
前記動作試験は、前記機器を構成する圧縮機を動作させることであることを特徴とする冷凍サイクル装置。
【請求項２】
可燃性を有する冷媒を用いて冷凍サイクルを実行する冷凍サイクル装置であって、
前記冷凍サイクルを実行するための機器および該機器を接続する配管に、不活性ガスが封入された状態で、製造工場において動作試験が実施され、且つ、前記不活性ガスが封入されたままの状態で出荷され、
前記動作試験は、前記機器を構成する圧縮機の動作による圧力を測定することであることを特徴とする冷凍サイクル装置。
【請求項３】
可燃性を有する冷媒を用いて冷凍サイクルを実行する冷凍サイクル装置であって、
前記冷凍サイクルを実行するための機器および該機器を接続する配管に、不活性ガスが封入された状態で、製造工場において動作試験が実施され、且つ、前記不活性ガスが封入されたままの状態で出荷され、
前記動作試験は、運転電流が所定の範囲内であるかどうかを測定することであることを特徴とする冷凍サイクル装置。
【請求項４】
室外機と室内機とが延長配管によって接続されるセパレート形で、可燃性を有する冷媒を用いて冷凍サイクルを実行する冷凍サイクル装置であって、
前記室外機に搭載された前記冷凍サイクルを実行するための機器と、該機器を接続する配管と、試験用負荷装置とによって形成された冷媒回路に不活性ガスが封入された状態で、製造工場において動作試験が実施され、且つ、前記室外機に搭載された前記冷凍サイクルを実行するための機器および該機器を接続する配管に前記不活性ガスが封入されたままの状態で出荷され、
前記動作試験は、前記機器を構成する圧縮機を動作させることであることを特徴とする冷凍サイクル装置。
【請求項５】
室外機と室内機とが延長配管によって接続されるセパレート形で、可燃性を有する冷媒を用いて冷凍サイクルを実行する冷凍サイクル装置であって、
前記室外機に搭載された前記冷凍サイクルを実行するための機器と、該機器を接続する配管と、試験用負荷装置とによって形成された冷媒回路に不活性ガスが封入された状態で、製造工場において動作試験が実施され、且つ、前記室外機に搭載された前記冷凍サイクルを実行するための機器および該機器を接続する配管に前記不活性ガスが封入されたままの状態で出荷され、
前記動作試験は、前記機器を構成する圧縮機の動作による圧力を測定することであることを特徴とする冷凍サイクル装置。
【請求項６】
室外機と室内機とが延長配管によって接続されるセパレート形で、可燃性を有する冷媒を用いて冷凍サイクルを実行する冷凍サイクル装置であって、
前記室外機に搭載された前記冷凍サイクルを実行するための機器と、該機器を接続する配管と、試験用負荷装置とによって形成された冷媒回路に不活性ガスが封入された状態で、製造工場において動作試験が実施され、且つ、前記室外機に搭載された前記冷凍サイクルを実行するための機器および該機器を接続する配管に前記不活性ガスが封入されたままの状態で出荷され、
前記動作試験は、運転電流が所定の範囲内であるかどうかを測定することであることを特徴とする冷凍サイクル装置。
【請求項７】
設置場所において、前記室外機に搭載された配管と前記室内機に搭載された配管とが前記延長配管によって接続され、連続した冷媒回路が形成され、出荷時に封入された不活性ガスを用いて、前記連続した冷媒回路の気密試験が実施されることを特徴とする請求項４〜６の何れか一項に記載の冷凍サイクル装置。
【請求項８】
前記不活性ガスが、窒素、ヘリウム、アルゴン、二酸化炭素であることを特徴とする請求項１〜７の何れか一項に記載の冷凍サイクル装置
【請求項９】
可燃性を有する冷媒を用いて冷凍サイクルを実行する冷凍サイクル装置の製造方法であって、
前記冷凍サイクルを実行するための機器および該機器を接続する配管に、不活性ガスを封入する工程と、
前記不活性ガスが封入された状態で、前記機器の動作試験を実施する工程と、
前記室外機に前記不活性ガスが封入されたままの状態で出荷する工程と、を有し、
前記動作試験は、前記機器を構成する圧縮機を動作させることであることを特徴とする冷凍サイクル装置の製造方法。
【請求項１０】
可燃性を有する冷媒を用いて冷凍サイクルを実行する冷凍サイクル装置の製造方法であって、
前記冷凍サイクルを実行するための機器および該機器を接続する配管に、不活性ガスを封入する工程と、
前記不活性ガスが封入された状態で、前記機器の動作試験を実施する工程と、
前記室外機に前記不活性ガスが封入されたままの状態で出荷する工程と、を有し、
前記動作試験は、前記機器を構成する圧縮機の動作による圧力を測定することであることを特徴とする冷凍サイクル装置の製造方法。
【請求項１１】
可燃性を有する冷媒を用いて冷凍サイクルを実行する冷凍サイクル装置の製造方法であって、
前記冷凍サイクルを実行するための機器および該機器を接続する配管に、不活性ガスを封入する工程と、
前記不活性ガスが封入された状態で、前記機器の動作試験を実施する工程と、
前記室外機に前記不活性ガスが封入されたままの状態で出荷する工程と、を有し、
前記動作試験は、運転電流が所定の範囲内であるかどうかを測定することであることを特徴とする冷凍サイクル装置の製造方法。
【請求項１２】
前記冷凍サイクル装置は、室外機と室内機とが延長配管によって接続されるセパレート形であって、
製造工場において、前記室外機に搭載された冷凍サイクルを実行するための機器および該機器を接続する配管に試験用負荷装置を接続して冷媒回路を形成する工程と、
前記冷媒回路に不活性ガスを封入する工程と、
該不活性ガスが封入された状態で、前記機器の動作試験を実施する工程と、
前記冷媒回路から前記試験用負荷装置を取り外す工程と、
前記室外機に前記不活性ガスが封入されたままの状態で出荷する工程と、を有し、
前記動作試験は、前記機器を構成する圧縮機を動作させることであることを特徴とする冷凍サイクル装置の製造方法。
【請求項１３】
前記冷凍サイクル装置は、室外機と室内機とが延長配管によって接続されるセパレート形であって、
製造工場において、前記室外機に搭載された冷凍サイクルを実行するための機器および該機器を接続する配管に試験用負荷装置を接続して冷媒回路を形成する工程と、
前記冷媒回路に不活性ガスを封入する工程と、
該不活性ガスが封入された状態で、前記機器の動作試験を実施する工程と、
前記冷媒回路から前記試験用負荷装置を取り外す工程と、
前記室外機に前記不活性ガスが封入されたままの状態で出荷する工程と、を有し、
前記動作試験は、前記機器を構成する圧縮機の動作による圧力を測定することであることを特徴とする冷凍サイクル装置の製造方法。
【請求項１４】
前記冷凍サイクル装置は、室外機と室内機とが延長配管によって接続されるセパレート形であって、
製造工場において、前記室外機に搭載された冷凍サイクルを実行するための機器および該機器を接続する配管に試験用負荷装置を接続して冷媒回路を形成する工程と、
前記冷媒回路に不活性ガスを封入する工程と、
該不活性ガスが封入された状態で、前記機器の動作試験を実施する工程と、
前記冷媒回路から前記試験用負荷装置を取り外す工程と、
前記室外機に前記不活性ガスが封入されたままの状態で出荷する工程と、を有し、
前記動作試験は、運転電流が所定の範囲内であるかどうかを測定することであることを特徴とする冷凍サイクル装置の製造方法。
【請求項１５】
可燃性を有する冷媒を用いて冷凍サイクルを実行する冷凍サイクル装置の設置方法であって、
前記冷凍サイクルを実行するための機器および該機器を接続する配管に、不活性ガスを封入する工程と、
前記不活性ガスが封入された状態で、前記機器の動作試験を実施する工程と、
前記室外機に前記不活性ガスが封入されたままの状態で出荷する工程と、
前記冷凍サイクルを実行するための機器および該機器を接続する配管に、前記不活性ガスが封入されている状態で、前記冷凍サイクル装置をその設置場所に設置する工程と、
前記封入されていた前記不活性ガスを用いて、前記機器および前記配管の気密試験を実施する工程と、
前記不活性ガスを排出して、前記機器および前記配管に前記冷媒を封入する工程と、
を有し、
前記動作試験は、前記機器を構成する圧縮機を動作させることであることを特徴とする冷凍サイクル装置の設置方法。
【請求項１６】
可燃性を有する冷媒を用いて冷凍サイクルを実行する冷凍サイクル装置の設置方法であって、
前記冷凍サイクルを実行するための機器および該機器を接続する配管に、不活性ガスを封入する工程と、
前記不活性ガスが封入された状態で、前記機器の動作試験を実施する工程と、
前記室外機に前記不活性ガスが封入されたままの状態で出荷する工程と、
前記冷凍サイクルを実行するための機器および該機器を接続する配管に、前記不活性ガスが封入されている状態で、前記冷凍サイクル装置をその設置場所に設置する工程と、
前記封入されていた前記不活性ガスを用いて、前記機器および前記配管の気密試験を実施する工程と、
前記不活性ガスを排出して、前記機器および前記配管に前記冷媒を封入する工程と、
を有し、
前記動作試験は、前記機器を構成する圧縮機の動作による圧力を測定することであることを特徴とする冷凍サイクル装置の設置方法。
【請求項１７】
可燃性を有する冷媒を用いて冷凍サイクルを実行する冷凍サイクル装置の設置方法であって、
前記冷凍サイクルを実行するための機器および該機器を接続する配管に、不活性ガスを封入する工程と、
前記不活性ガスが封入された状態で、前記機器の動作試験を実施する工程と、
前記室外機に前記不活性ガスが封入されたままの状態で出荷する工程と、
前記冷凍サイクルを実行するための機器および該機器を接続する配管に、前記不活性ガスが封入されている状態で、前記冷凍サイクル装置をその設置場所に設置する工程と、
前記封入されていた前記不活性ガスを用いて、前記機器および前記配管の気密試験を実施する工程と、
前記不活性ガスを排出して、前記機器および前記配管に前記冷媒を封入する工程と、
を有し、
前記動作試験は、運転電流が所定の範囲内であるかどうかを測定することであることを特徴とする冷凍サイクル装置の設置方法。
【請求項１８】
前記冷凍サイクル装置は、室外機と室内機とが延長配管によって接続されるセパレート形であって、
製造工場において、前記室外機に搭載された冷凍サイクルを実行するための機器および該機器を接続する配管に試験用負荷装置を接続して試験用冷媒回路を形成する工程と、
前記試験用冷媒回路に不活性ガスを封入する工程と、
該不活性ガスが封入された状態で、前記機器の動作試験を実施する工程と、
前記試験用冷媒回路から前記試験用負荷装置を取り外す工程と、
前記室外機に前記不活性ガスが封入されたままの状態で出荷する工程と、
前記室外機に搭載された前記冷凍サイクルを実行するための機器および該機器を接続する配管に、前記不活性ガスが封入されている状態で、前記室外機をその設置場所に設置する工程と、
前記室内機をその設置場所に設置する工程と、
前記室外機に搭載された配管と前記室内機に搭載された配管とを前記延長配管によって接続して、連続した冷媒回路を形成する工程と、
前記室外機に封入されていた前記不活性ガスを用いて、前記連続した冷媒回路の気密性を確認する気密試験を実施する工程と、
前記連続した冷媒回路から前記不活性ガスを排出して、前記連続した冷媒回路、前記室外機に搭載された機器および前記室内機に搭載された機器に冷媒を封入する工程と、を有し、
前記動作試験は、前記機器を構成する圧縮機を動作させることであることを特徴とする冷凍サイクル装置の設置方法。
【請求項１９】
前記冷凍サイクル装置は、室外機と室内機とが延長配管によって接続されるセパレート形であって、
製造工場において、前記室外機に搭載された冷凍サイクルを実行するための機器および該機器を接続する配管に試験用負荷装置を接続して試験用冷媒回路を形成する工程と、
前記試験用冷媒回路に不活性ガスを封入する工程と、
該不活性ガスが封入された状態で、前記機器の動作試験を実施する工程と、
前記試験用冷媒回路から前記試験用負荷装置を取り外す工程と、
前記室外機に前記不活性ガスが封入されたままの状態で出荷する工程と、
前記室外機に搭載された前記冷凍サイクルを実行するための機器および該機器を接続する配管に、前記不活性ガスが封入されている状態で、前記室外機をその設置場所に設置する工程と、
前記室内機をその設置場所に設置する工程と、
前記室外機に搭載された配管と前記室内機に搭載された配管とを前記延長配管によって接続して、連続した冷媒回路を形成する工程と、
前記室外機に封入されていた前記不活性ガスを用いて、前記連続した冷媒回路の気密性を確認する気密試験を実施する工程と、
前記連続した冷媒回路から前記不活性ガスを排出して、前記連続した冷媒回路、前記室外機に搭載された機器および前記室内機に搭載された機器に冷媒を封入する工程と、を有し、
前記動作試験は、前記機器を構成する圧縮機の動作による圧力を測定することであることを特徴とする冷凍サイクル装置の設置方法。
【請求項２０】
前記冷凍サイクル装置は、室外機と室内機とが延長配管によって接続されるセパレート形であって、
製造工場において、前記室外機に搭載された冷凍サイクルを実行するための機器および該機器を接続する配管に試験用負荷装置を接続して試験用冷媒回路を形成する工程と、
前記試験用冷媒回路に不活性ガスを封入する工程と、
該不活性ガスが封入された状態で、前記機器の動作試験を実施する工程と、
前記試験用冷媒回路から前記試験用負荷装置を取り外す工程と、
前記室外機に前記不活性ガスが封入されたままの状態で出荷する工程と、
前記室外機に搭載された前記冷凍サイクルを実行するための機器および該機器を接続する配管に、前記不活性ガスが封入されている状態で、前記室外機をその設置場所に設置する工程と、
前記室内機をその設置場所に設置する工程と、
前記室外機に搭載された配管と前記室内機に搭載された配管とを前記延長配管によって接続して、連続した冷媒回路を形成する工程と、
前記室外機に封入されていた前記不活性ガスを用いて、前記連続した冷媒回路の気密性を確認する気密試験を実施する工程と、
前記連続した冷媒回路から前記不活性ガスを排出して、前記連続した冷媒回路、前記室外機に搭載された機器および前記室内機に搭載された機器に冷媒を封入する工程と、を有し、
前記動作試験は、運転電流が所定の範囲内であるかどうかを測定することであることを特徴とする冷凍サイクル装置の設置方法。